(57)【要約】本発明によれば、少なくとも、関連した第１の発振器周波数及び周期を有する第１の設定と、関連した第２の発振器周波数及び周期を有する第２の設定との切り替えを発信器に許可する切換装置と、前記切換装置を制御する制御装置と、を備える電子発振器を提供するステップと、中間周波数及び周期を有する出力信号を生成するために少なくとも前記第１の設定と前記第２の設定との間で前記発振器をディザリングさせるステップと、を含み、前記ディザリングは、前記出力信号周波数の連続サイクルに亘る各出力信号周期の予め定められた一部に対して前記第１の設定から前記第２の設定に切り替えられることによって遂行されることを特徴とする出力信号を生成する方法が提供される。【選択図】  図１
2012532519.tif 000002
【特許請求の範囲】
【請求項１】
少なくとも関連した第１の発振器周波数及び周期を有する第１の設定と、関連した第２の発振器周波数及び周期を有する第２の設定との切り替えを発信器に許可する切換装置と、前記切換装置を制御する制御装置と、を備える電子発振器を提供するステップと、
中間周波数及び周期を有する出力信号を生成するために少なくとも前記第１の設定と前記第２の設定との間で前記発振器をディザリングさせるステップと、を含み、
前記ディザリングは、出力信号周波数の連続サイクルに亘る各出力信号周期の予め定められた一部に対して前記第１の設定から前記第２の設定に切り替えられることによって遂行される
ことを特徴とする出力信号を生成する方法。
【請求項２】
各出力信号周期の予め定められた一部に対する前記第１の設定から前記第２の設定への切り替えは、前記出力信号周波数の連続サイクルに亘る各出力信号周期中に複数のパルスが生成できるようにパルス状であり、
前記発振器は、一連の各パルスの期間に第２の設定にあることを特徴とする請求項１記載の方法。
【請求項３】
各出力信号周期中に偶数のパルスが生成されることを特徴とする請求項２記載の方法。
【請求項４】
各出力信号周期中に少なくとも４つのパルスが生成されることを特徴とする請求項２又は３記載の方法。
【請求項５】
前記複数のパルスは、各出力信号周期内に実質的に等しい間隔であることを特徴とする請求項２乃至４のいずれか記載の方法。
【請求項６】
前記複数のパルスは、時間当たりの間隔が実質的に等しいことを特徴とする請求項２乃至５のいずれか記載の方法。
【請求項７】
前記ディザリングは、出力信号の周波数を変更または修正するために可変であり、
前記出力信号の周波数は、関連する出力信号波形を有し、
各パルスは、前記発振器が前記第１の設定から前記第２の設定に切り替えられる出力信号周波数の周期内のターンオン時間、及び前記発振器が第２の設定から第１の設定に切り替えられる出力信号周波数の周期内のターンオフ時間を含む、関連するパルス特性を有し、
前記出力周波数を変更または修正するためのディザリングの変化は、少なくとも１つのパルスのターンオン時間及び／又はターンオフ時間が出力信号波形の変化率のピークの方へ変えられ、少なくとも１つの他のパルスのターンオン時間及び／又はターンオフ時間が出力信号波形の変化率の最小の方へ変えられることによって、ディザリングの変化に関しての出力周波数の線形性が改善するように、出力信号周波数の各周期内のパルスのうちの少なくとも幾つかのパルスのパルス特性を変更することによって遂行される
ことを特徴とする請求項２乃至６のいずれか１項に記載の方法。
【請求項８】
前記切換装置を制御するためのパルス幅変調信号を用いて切り替えが遂行されることを特徴とする請求項１乃至７のいずれか記載の出力周波数を有する出力信号を生成する方法。
【請求項９】
前記切換装置を制御するためのデルタシグマ変調信号を用いて切り替えが遂行されることを特徴とする請求項１乃至７のいずれか記載の出力周波数を有する出力信号を生成する方法。
【請求項１０】
出力信号を生成する電子発振器であって、
前記発振器に、関連した第１の発振器周波数及び周期を有する第１の設定と、関連した第２の発振器周波数及び周期を有する第２の設定との切り替えを許可する切換装置と、
前記発振器が少なくとも前記第１の設定と前記第２の設定との間でディザリングされて中間周波数及び周期を有する出力信号を生成するように前記切換装置を制御する制御装置と、を備え、
前記ディザリングは、出力信号周波数の連続サイクルに亘る各出力信号周期の予め定められた一部に対して前記第１の設定から前記第２の設定に切り替えられることによって遂行される
ことを特徴とする電子発振器。
【発明の詳細な説明】
【技術分野】
【０００１】
この発明は、電子発振器の微調整における改善に関し、出力周波数を有する出力信号を生成する方法、及び出力周波数を有する出力信号を生成する電子発振器に関する。
【背景技術】
【０００２】
電子発振器は、広範囲の電気的な装置における重要かつ基本的な構成要素である。電子発振器の出力周波数が高精度であることは、当然に求められる性能である。製作公差及び供給電圧と温度の変動のような動作環境の変化によって引き起こされる出力周波数の偏差を補償するために、電子発振器の周波数を絶えず微調整する必要がある。そのような補償を、発振器回路中の１以上のコンデンサーの値を制御することによって達成することは、良く知られている。この制御は、発振器回路に接続されたキャパシタンスの量を変えるためのスイッチを使用することによって達成される。成分値を調節するための「同調（ｔｕｎｉｎｇ）」機構を使用することによって、所望の発振周波数（ｏｓｃｉｌｌａｔｉｏｎ  ｆｒｅｑｕｅｎｃｙ）を達成することが可能である。これは、集積回路中の並列及び／又は直列の素子の接続又は切断により一般に達成される。そのような配置では、周波数同調は、連続的ではなく、むしろ周波数の「ステップ（ｓｔｅｐｓ）」によって分離された一連の個別の周波数から成っている。周波数ステップのサイズは、最小限にされることが望ましい。しかしながら、周波数ステップのサイズは、回路素子の整合におけるエラーによって制限されている。非常に小さなキャパシタンスを確実に生成することは困難であり、また、スイッチは、関連したコンデンサーが切断されるときでさえ存在する関連したキャパシタンスを有するであろう。さらに、名目上同一のコンデンサー同士の不整合の度合いは、キャパシタンスの減少につれて増加する。これらの要因は、達成可能な最小の周波数ステップに関してより低い制限を課する。
【０００３】
最小のキャパシタンス／周波数ステップに関するこれらの制限を克服するための有名な解決法は、発振周波数が２つ又はそれ以上の別個の周波数値に変化する「ディザリング」の技術である。典型的には、合理的に評価されたキャパシタンスの接続は変動的（ｄｉｔｈｅｒｅｄ）であり、その結果、キャパシタンスは、単に、発振器が使用されているときの定義された比のための発振器に対して接続される。このように、時間とともに平均化された場合、コンデンサーはあたかもより小さなキャパシタンスを有するかのように動作し、この値は、接続されている時間の比率（ここでは「ディザ率（ｄｉｔｈｅｒ  ｆｒａｃｔｉｏｎ）」と呼ぶ）に依存する。これは、最小サイズのコンデンサーによってではなく、ディザ率の制御の精度によって決定される周波数ステップのサイズに帰着する。
【０００４】
典型的には、ディザリングは、発振周波数よりも低い周波数で実行される、つまり、付加的なキャパシタンスがいくつかの発振器サイクルに関して接続され、他の発振器サイクルに関して切断されるであろう。このアプローチに関連した利点は、実効キャパシタンスがディザ率に依存して線形的であるということである。温度変動のような環境上の変化の影響を補償する場合、少数の較正点で周波数を修正するために要求される制御コードを決定すること、そして、補間及び外挿法により他の条件のために必要な制御コードを計算することが一般的である。実効キャパシタンスとディザ率との間で線形の関係が達成されれば、必要な計算が容易に行なわれるようにし、かつ便利で正確な周波数補償を可能にするために、極めて有利である。
【０００５】
しかしながら、発振周波数よりも低い周波数のディザリングは、付加的なキャパシタンスが接続又は切断されるときに、循環するサイクル期間の変化を生じさせる。関連する出力波形は、発振周波数及び全てのサイクルが一定でない波形期間のどちらの側にも付加的な周波数構成要素を持っている。これは、循環するサイクル期間の変化、つまりジッタを生じさせるものであり、かかるジッタは、技術が両者間にディザリングする無関連で個別の期間の間の差異と等しい。水晶発振器のような高いＱ値（Ｑ−ｆａｃｔｏｒ）を有する発振器では、かかる高いＱは、ジッタを除去しないがある程度までジッタを縮小する幾らかの「慣性」をシステムに供給する。中程度の又は低いＱ値を備えた発振器は、このタイプのジッタになおさら影響を受けやすい。
【０００６】
ＥＰ１７９３４８８、米国特許出願２００７／０２４３７９及び本出願人の先行する国際特許出願番号ＷＯ２００９／０５６８３５は、所望の出力周波数よりも高い周波数で発振器が実行されるジッタの問題に対する解決策を提案する。周波数分割器は、単一の周波数で、低いジッタにより変化しない出力を引き出すために使用される。しかしながら、この技術は、より高い発振周波数に関係する望ましくない高い電力消費量に悩まされる。したがって、発振器が目的の周波数で作動することは望ましい。しかしながら、上に論じたように、目的の周波数で作動する発振器を使用する現在までのディザリング技術は、循環するジッタの問題に悩まされる。
【発明の概要】
【発明が解決しようとする課題】
【０００７】
本発明は、その実施の形態の少なくとも幾つかにおいて、前述の問題に対処する。
【課題を解決するための手段】
【０００８】
本発明の第１の側面によれば、
発振器に、少なくとも、関連した第１の発振器周波数及び周期を有する第１の設定と、関連した第２の発振器周波数及び周期を有する第２の設定との切り替えを許可する切換装置と、前記切換装置を制御する制御装置と、を備える電子発振器を提供するステップと、
中間周波数及び周期を有する出力信号を生成するために少なくとも前記第１の設定と前記第２の設定との間で前記発振器をディザリングさせるステップと、を含み、
前記ディザリングは、出力信号周波数の連続サイクルにわたる各出力信号周期の予め定められた一部に対して前記第１の設定から前記第２の設定に切り替えられることによって遂行されることを特徴とした、出力信号を提供する方法が提供される。
【０００９】
このように、ディザリングは、例えば出力信号の期間毎の定義された割合（「ディザ率」）でキャパシタンスを接続することにより、出力周波数で、あるいは出力周波数よりも高い周波数で実行される。有利に、本発明の方法は、大きなジッタに悩まされることなくディザリングが実行されることを可能にする。
【００１０】
電子発振器の同調曲線は、実質的に線形であること、または少なくともその非線形が縮小されることが望ましい。用語「同調特性」は、ディザ率に関する実効キャパシタンス及び／又は出力周波数の依存関係に言及する。同調特性の非線形の縮小を生じさせる本発明の好ましい実施の形態は、以下に記述される。
【００１１】
ディザリングは、出力周波数よりも高い周波数で実行されることが好ましい。好ましくは、各出力信号周期の予め定められた一部に対する第１の設定から第２の設定への切り替えは、出力信号周波数の連続サイクルに亘る各出力信号周期中に複数のパルスが生成できるようにパルス状であり、一連の各パルスの期間に発振器は第２の設定であるようにする。同調特性における非線形を縮小するために、各出力信号周期に偶数のパルスが生成されることが、特に好ましい。有利に、各出力信号周期中に少なくとも４つのパルス、好ましくは少なくとも８つのパルスが生成される。
【００１２】
有利に、複数のパルスは、各出力信号周期内に実質的に等しく間隔を置かれる。
【００１３】
複数のパルスは、時間当たりの間隔が実質的に等しくされる。正弦波出力信号では、複数のパルスは、各出力信号周期内に実質上等しい間隔で配置され、時間当たりの間隔が実質的に等しくされることが好ましい。異なる波形を有する出力信号では異なるアプローチが使用されてもよく、例えば、複数のパルスは、各出力信号周期内では実質的に等しい間隔であるものの、時間当たりの間隔を実質的に等しくなくすることができる。
【００１４】
好ましい実施の形態では、
ディザリングは、出力信号の周波数を変更または修正するために可変とされる；
出力信号の周波数は、関連する出力信号波形を有する；
各パルスは、発振器が第１の設定から第２の設定に切り替えられる出力信号周波数の周期内のターンオン時間、及び発振器が第２の設定から第１の設定に切り替えられる出力信号周波数の周期内のターンオフ時間を含む、関連するパルス特性を有する；
前記出力周波数を変更または修正するためのディザリングの変化は、少なくとも１つのパルスのターンオン時間及び／又はターンオフ時間が出力信号波形の変化率のピークの方へ変えられ、少なくとも１つの他のパルスのターンオン時間及び／又はターンオフ時間が出力信号波形の変化率の最小の方へ変えられることによって、ディザリングの変化に関しての出力周波数の線形性が改善するように、出力信号周波数の各周期内のパルスのうちの少なくとも幾つかのパルスのパルス特性を変更することによって遂行される。
【００１５】
本発明者は、発振器が第１及び第２の設定間で切り替えられる場合、出力信号周波数がディザ率および発振器波形の位相の両方に依存することを認識した。これは、切換装置の開放および閉鎖が発振器位相の変化を生成するいくらかの電気的なノイズを導入するからである。発生する発振器位相の変更の量は、スイッチングが生じ電気的なノイズが生成される瞬間の出力信号波形の変化率に依存する。より具体的には、波形の高い変化率の領域（例えば、正弦波の発振器波形の中点値の近く）で生じるノイズはより大きな影響がある一方で、出力信号波形の低い変化率の領域（例えば、正弦波の発振器波形の最大値（ｐｅａｋ）の近く）で生じるノイズは、比較的小さな影響となるであろう。
【００１６】
本発明の好ましい実施の形態では、パルスは、パルスの同調が、出力信号周波数に関し電気的なノイズの影響の点から実質的に互いに相殺するように配置された変化で、イベント（つまり、ターンオン及び／又はターンオフ）を生じさせる幾らかのノイズが出力信号波形の変化率における最大値の近くで発生し、イベントを生じさせる他のノイズが出力信号波形の変化率における最小値の近くで発生する結果となるように、生成される。好都合なことに、これは、各出力信号周期内に実質上等しい間隔で配置される４つ以上の偶数のパルスの使用により達成することができる。ターンオン時間を変える又はターンオン時間とターンオフ時間の両方を変えることは可能だろうが、好都合なことに、パルスのパルス特性は、ターンオフ時間を変えることによって変更される。制御の視点からは、パルスがすべて同じ程度に変更されれば便利である；但し、熟練した読者は、他のより複雑なパルス変更の方法論が使用され得ることを理解するであろう。
【００１７】
スイッチングは、切換装置を制御するためにパルス幅変調（ＰＷＭ）信号を使用して行なわれることが好ましい。但し、スイッチングは、切換装置を制御するために、例えばデルタシグマ変調信号を使用することのように、他の技術を使用して行なわれることもできる。
【００１８】
排他的ではないが典型的には、発振器は、ＲＣ発振器のようなプログラム可能な発振器である。但し、本発明はさらに、非プログラム式の発振器まで及ぶ。
【００１９】
排他的ではないが典型的には、出力信号は正弦波形である。但し、本発明は、他の波形形状の生成にも適用可能である。
【００２０】
パルスは、デジタル処理で或いはアナログ制御を使用して生成され得る。
【００２１】
第１及び第２の設定間の発振器のスイッチングは、当該技術分野で良く知られた多くの技術のうちの１つ或いは技術の組み合わせを使用して達成することができる。例えば、コンデンサー、抵抗器あるいは誘導子のような電気的な素子は、発振器への接続へ及びその接続から切り替えられることができる。他の実施の形態では、例えば、電源の出力を変えることにより、あるいは電源の配列を切り替えることにより、電流又は電圧スイッチングが採用され得る。
【００２２】
本発明の他の側面によれば、出力信号を生成する電子発振器であって、前記発振器に、関連した第１の発振器周波数及び周期を有する第１の設定と、関連した第２の発振器周波数及び周期を有する第２の設定との切り替えを許可する切換装置と、前記発振器が少なくとも前記第１の設定と前記第２の設定との間でディザリングされて中間周波数及び周期を有する出力信号を生成するように前記切換装置を制御する制御装置と、を備え、前記ディザリングは、出力信号周波数の連続サイクルに亘る各出力信号周期の予め定められた一部に対して前記第１の設定から前記第２の設定に切り替えられることによって遂行される電子発振器が提供される。
【００２３】
本発明の第２の側面は、本発明の第１の側面に関して上述されたいかなる特徴も組込むことができる。
【００２４】
本発明は、上に述べられている一方で、上記または以下の説明、図面または請求項中で提示されるような任意の創造性のある組み合わせまで及ぶ。
【図面の簡単な説明】
【００２５】
本発明に従った電子発振器及び方法の実施の形態は、ここから添付の図面を参照して記述される。
【図１】本発明の電子発振器を示す回路図である。
【図２】（ａ）に出力信号を示し、（ｂ）に１サイクル当たり１つのディザ信号を使用する発振器のためのディザ制御信号を示す。
【図３】図２に関連した発振器の周波数同調特性を示す。
【図４】ディザ制御信号が出力サイクル当たり４つの等しい間隔によるパルスを含む発振器のための出力信号とディザの制御信号を示す。
【図５】図４に関連した発振器用の周波数同調特性を示す。
【発明を実施するための形態】
【００２６】
図１は、本発明の、符号１０で概略的に示された電子発振器の回路図である。この電子発振器１０は、切換装置１６によって発振器の残りの部分との接続及び切断を切り替えることができるコンデンサー１４を備えた発振器１２を含む。このように、発振器１０の出力周波数は、切換装置１６を開く及び閉じることによって変化させることができる。電子発振器１０は、位相ロックループ（ＰＬＬ）や遅延ロック・ループ（ＤＬＬ）周波数逓倍器のような周波数逓倍器１８をさらに含む。ｆ＿ｏｓｃが電子発振器の出力周波数であり、Ｎが１より大きい場合に、周波数逓倍器１８は、出力周波数Ｎ．ｆ＿ｏｓｃを生成する。かかる周波数逓倍器の出力周波数は、制御装置２０に入力される。Ｍが１以上の整数であり、好ましくは２以上、より好ましくは４以上である場合に、制御装置２０は、周波数ｆ＿ｏｓｃの出力信号の１サイクル当たりＭ個のディザパルスを出力する。ディザパルスは、Ｍ／（Ｎ．ｆ＿ｏｓｃ）のステップで可変のパルス幅である。制御装置２０により生成されるディザ制御パルスの出力周波数はＭ．ｆ＿ｏｓｃであり、ディザリングの周波数は、出力ｆ＿ｏｓｃよりも必ず高いことが理解できるだろう。制御装置２０により出力されるディザ制御パルスは、２２で発振器１２から出力される出力周波数ｆ＿ｏｓｃを制御するようにキャパシタンス１４のディザリングを制御するために、切換装置１６に送られる。
【００２７】
図２は、（ａ）に出力信号を示し、また、（ｂ）にパルス幅変調ディザ制御信号を使用して発振器周波数を変化させる発振器用のディザ制御信号を示す。この例において、切替えのターンオン時間は全ての周期で不変であるが、ターンオフ時間は、ディザ率が変わるにつれて、パルス幅の変化に従って変わる。図３は、ディザ率に対する出力周波数のグラフであり、関連する周波数同調特性を示す。図３から、かかる周波数同調特性は、温度のような環境条件の変動に応じて出力周波数を修正する視点から見て望ましくない非線形を示すことが分かる。しかしながら、図２及び図３に関係しているディザ制御方法論は、パルス幅が一定のままである場合に、ディザリングが発振器周波数よりも低い周波数にある技術と比較して、ジッタが大いに縮小され、また、電力消費量は、発振器が所望の出力周波数よりも相当に高い周波数で動作される技術に比較して少なくなる、という長所を有する。
【００２８】
本発明者は、制御信号のそれぞれの遷移が発振器へスイッチングノイズを導入するだろうということ、また、これは、波形の瞬時位相の変化、つまり出力の周波数及び期間の変化を生成することに気付いた。ディザリング・パルスが全ての発振器周期における同じ地点で生じれば、結果は、当該発振器期間において一貫した変化、つまりディザに引き起こされたジッタがないこと、になるだろう。しかしながら、制御信号の幅あるいは数が変わる場合、発振器期間における可変変化が生じ得るものであり、また、本発明者は、これが図３に示される非線形の周波数同調特性を生じさせることを認識した。さらに、本発明者は、接続及び切断が生じた場合、出力周波数がディザ率と発振器波形の位相との両方に依存することに気付いた。切換装置１６の開放及び閉鎖は、キャパシタンスの変化によって生まれた位相の変化に加えて、発振器位相の変化を生成するいくらかの電気的なノイズを導入する。さらに、導入された位相変化の量は、電気的なノイズが導入される瞬間の出力波形の変化の比率に依存する。これの影響は、波形の低い変化率の近くの領域（つまり正弦波形のピークの近く）で生じるスイッチングによって引き起こされる電気的なノイズが、発振器位相に関して最小の効果があるだろう、ということである。しかしながら、波形の高い変化率の近くの領域（つまり正弦波形の中点値の近く）でスイッチングすることにより生じるノイズは、発振器位相のより大きな変化を引き起こすだろう。この現象の理論的な説明は、Ａ．Ｈａｊｉｍｉｒｉ及びＴ．Ｈ．リーによってＩＥＥＥ．ソリッドステート回路、１９９８年３３（２）の１７９−１９４頁、及び１９９８年３３（６）の９２８頁に記述された。疑義を避けるために、用語「波形ピーク」は、波形サイクル内に生じる最大値（上部）のピーク及び最小値（下部）のピークの両方を含む。本発明との関連で、ディザ率の変更は、スイッチングが生じる時を変更し、そのために発振器位相に関する影響を変更し、ディザ率および出力周波数間の関係に非線形を導入する。これは、同調の分解能を下げ、また、動作環境の変動による出力周波数の変化を修正するために、補間または外挿法によって制御コードが生成される場合、エラーを導入し得る。
【００２９】
図４は、周波数同調特性での著しい改善が得られる本発明に従った制御方法論の例を示す。図４に見られるように、切換装置１６を制御するために、４つの等しい間隔を置かれたディザ制御信号パルスが、出力波形の各サイクル内で利用される。言いかえれば、ＰＷＭディザパルスは、発振器期間を通じて４：１に時分割多重される。この例では、各サイクルでターンオン時間は固定であるが、ターンオフ時間は、パルス幅およびディザ率によって変化する。ディザ率を増加させる時分割多重化手段は、波形の変化率における極小値へと向かう他の２つのパルスの立ち下がりエッジと共に、発振器波形の変化率におけるピークへと向かうターンオフに関連した２つのパルスの立ち下がりエッジの結果をもたらす。発振器波形の変化率における極小値へのエッジの転換（つまり、波形中点値）が、関連するスイッチングノイズに対する発振器位相変化の感度を減少させる一方、発振器波形の変化率におけるピークへの転換は、関連するスイッチングノイズに対する出力周波数の感度を増加させる。かかる複合効果は、ターンオフ時間に関連したスイッチングノイズにより引き起こされた位相における変化が、非常に縮小されるということである。関連する周波数同調特性が図５中に示されており、ここから、極めて線形であり、したがって極めて有利な応答が得られることが分かる。
【００３０】
ターンオン及びターンオフのイベントに由来したスイッチングノイズの複合効果が一定であるが故に、図５で示される線形の応答特性が得られることが注目されるべきである。ディザパルスは常に存在しなければならず、そのため、オン及びオフのスイッチングノイズが正確に取り消さなければ、ディザ率はゼロに下げることができない。４ビットのＰＷＭスキームがディザ率を制御するために使用されれば、ディザ率は１／１６ｔｈ増加で変化するだろうが、線形の応答を得るために、かかる０／１６ｔｈステップは使用されるべきでない。これは、ディザ率を１／１６ｔｈから１５／１６ｔｈ乃至１／８ｔｈステップの範囲を有するように制限することによって達成することができ、周波数同調特性における線形性の改善された程度を得るためにＰＷＭ分解能を３ビットに効果的に減少させる。
【００３１】
線形の応答は、ディザパルス・ターンオンのタイミングを、ターンオフ転換のタイミングに代わって転換されるように設定することによっても、得ることができる。あるいは、ターンオンとターンオフのタイミングは、両方とも、パルス幅及びディザ率が変えられるときに、ターンオフ・タイミングと反対方向へ転換されるターンオン・タイミングで転換されることができる。
【００３２】
図１中で示される装置は、図２から図５に関して説明された方法論を実施するために適合されることができる。典型的には、切換装置は、発振器と単一のキャパシタンスとの接続の有無を切り替えるために使用される。しかしながら、発振器周波数が切換装置経由で変更される他の装置、おそらくより複雑な装置が思い浮かぶかもしれない。ＭＯＳ集積回路において、トランジスタは、切換装置の能動素子として典型的に使用されるだろう。１又は複数個のスイッチを使用する他の装置は、熟練した読者には普通に思い付くであろう。パルス幅変調を利用して、切換装置のスイッチングを制御する制御パルスを生成することは便利である。しかしながら、高いオーバーサンプリング率を持ったシグマ・デルタ変調スキームの使用のような他の制御方法論も、同様の有利さで用いられることができる。
【００３３】
本例は、正弦波出力波形を与える発振器を使用した。これは本質的な要件ではなく、また、本発明は他の出力波形の生成のために同様の有利さで使用することができることに注意すべきである。
【図１】
2012532519.tif 000003
【図２】
2012532519.tif 000004
【図３】
2012532519.tif 000005
【図４】
2012532519.tif 000006
【図５】
2012532519.tif 000007
【国際調査報告】
2012532519.tif 000008
2012532519.tif 000009